(57)【要約】【課題】音声パケットＶＰとデータパケットＤＰが混在するＩＰ網上で、ＶＰの伝送間隔を一定に維持する。【解決手段】アナログ端末７とディジタル端末５１、５２とを収容し、加入者側アナログインタフェース（ＡＩ／Ｆ）１３Ｔ、加入者側ディジタルインタフェース（ＤＩ／Ｆ）１９Ｔ、回線側ＡＩ／Ｆ１３Ｎ、回線側ＤＩ／Ｆ１９Ｎを備え、アナログ回線３２を介してＩＰ網と接続されるＶｏＩＰアダプタ１において、ＡＩ／Ｆ１３Ｔ−ＡＩ／Ｆ１９Ｎ間とＡＩ／Ｆ１３Ｔ−ＤＩ／Ｆ１９Ｎ間の通話路を切り替える通話切替スイッチ１２と、ＤＩ／Ｆ１９Ｎを通過するＩＰパケットにＶＰがあることを認識する音声パケット認識手段１８と、ＤＩ／Ｆ１９Ｎを通過するＩＰパケットにＶＰがあるときに、送出するＤＰを複数のＩＰパケットに分割し、回線側から受けた複数のＩＰパケットをＤＰに組み立てるパケット分割および組立手段１７とを設けた。【選択図】　　　　図１
2004072500.tif 000002
【特許請求の範囲】
【請求項１】
アナログ端末装置とディジタル端末装置とを収容し、加入者側アナログインタフェースと、加入者側ディジタルインタフェースと、回線側アナログインタフェースと、回線側ディジタルインタフェースとを備え、アナログ通信網を介してＩＰ網と接続されるＶｏＩＰアダプタにおいて、
加入者側アナログインタフェースと回線側アナログインタフェース間の通話路と加入者側アナログインタフェースと回線側ディジタルインタフェース間の通話路を切り替える通話切替スイッチと、
回線側インタフェースを通過するＩＰパケットに音声パケットがあることを認識する音声パケット認識手段と、
回線側インタフェースを通過するＩＰパケットに音声パケットがあるときに、回線側に送出するデータパケットを複数のＩＰパケットに分割し、回線側から受けた複数のＩＰパケットをデータパケットに組み立てるパケット分割および組立手段と
を有することを特徴とするＶｏＩＰアダプタ。
【請求項２】
音声圧縮および伸張手段と、音声プロトコル制御部とを有し、アナログ通話中の加入者側アナログインタフェースに接続されたアナログ端末装置からＩＰ通話要求があったときに、Ｈ．３２３呼接続が確立したことによって、アナログ通話をＩＰパケット化して回線側ディジタルインタフェースに送出し、回線側インタフェースを通過するＩＰパケットに音声パケットがなくなったときにデータパケットの分割を止めて元のパケットで送出することを特徴とする請求項１に記載のＶｏＩＰアダプタ。
【発明の詳細な説明】
【０００１】
【発明の属する技術分野】
本発明は、ＩＰ通話とデータ通信が混在したＩＰ網を介したＩＰ通信システムにおけるＩＰ通話の質の低下を防いだＶｏＩＰアダプタの送信方法に関する。
【０００２】
【従来の技術】
図４に示すようなＩＰネットワーク３１を介して対向するＶｏＩＰアダプタ１Ａ，１Ｂに収容されたＰＣ５１Ａ、５１ＢやＩＰ電話機５２Ｂ間でＩＰ通話を、アナログ電話機７Ａ―アナログ電話機７Ｂ間でアナログ通話を行うようにしたＩＰ通話方式が有る。すなわち、このＩＰ通話方式においては、ＶｏＩＰアダプタ１Ａ，１Ｂは、ＰＣ５１Ａ−ＰＣ５１Ｂ間でＩＰ通信し、アナログ電話機７Ａ−ＩＰ電話機５２Ｂ間でＩＰ通話し、アナログ電話機７Ａ−アナログ電話機７Ｂ間でアナログ通話とＩＰ通話を切り換えてアナログ通話もしくはＩＰ通話で使用可能としている。この場合、送受信するＩＰパケットとして、ＩＰ通話の場合は６４バイトの音声パケットを用い、データ通信の場合は６４〜１５００バイトのデータパケットを用いており、ＩＰネットワーク上では、音声パケットとデータパケットを混在させて送受信を行っている。
【０００３】
図５に示すように、これらのデータパケットＤＰは、使用するアプリケーションによってパケット長がそれぞれ異なっており、ＩＰネットワーク上には、異なるデータ長のデータパケットＤＰがそのまま伝送されることになる。そのため、データ長の長いデータパケットＤＰが存在すると音声パケットＶＰを伝送する間隔を一定に維持することができなくなり、音声パケットＶＰの遅延による音切れや伝送間隔の異なりによるゆらぎの発生など、音声品質に影響を与えることになる。
【０００４】
【発明が解決しようとする課題】
本発明は、上記問題を解決するために、音声パケットとデータパケットが混在するＩＰネットワーク上において、音声パケットの伝送間隔を一定に維持することができるＶｏＩＰアダプタを提供することを目的とする。
【０００５】
【課題を解決するための手段】
上記課題を解決するために、本発明は、音声パケットとデータパケットが混在するＩＰネットワークに接続されるＶｏＩＰアダプタに、
▲１▼ＶｏＩＰアダプタの回線側ディジタルインタフェース上のＩＰパケットに音声パケットが存在するか否かを判断する機能
▲２▼ＶｏＩＰアダプタの回線側ディジタルインタフェース上のＩＰパケットがデータパケットのみで音声パケットがない場合、データパケットをそのままのデータ長で送出する機能
▲３▼ＶｏＩＰアダプタの回線側ディジタルインタフェース上のＩＰパケットに音声パケットが存在する場合に、データパケットを音声パケットと同じデータ長に分割する機能
▲４▼音声パケットのパケット送出優先度合いを高くしておき、音声パケットを常に一定の間隔で送出する機能
を備えた。
【０００６】
【発明の実施の形態】
図１を用いて、本発明にかかるＶｏＩＰアダプタの働きを説明する。ＶｏＩＰアダプタ１は、ＰＣ５１から受信したパケット長の長いデータパケットＤＰをパケット長の短い複数の分割データパケットＤＤＰ１、ＤＤＰ２に分割してＩＰネットワーク３１に接続されたアナログ網３２に送出するとともに、アナログ電話機７から受信した通話をＶｏＩＰ機能１０によって、所定長の音声パケットＶＰ１，ＶＰ２に変換してＩＰネットワーク３１に接続されたアナログ網３２に送出する。分割データパケットＤＤＰは、音声パケットＶＰと同様の長さとすることが望ましい。
【０００７】
図２を用いて、本発明にかかるＶｏＩＰアダプタの構成を説明する。ＶｏＩＰアダプタ１は、ＣＰＵ１１と、通話切替スイッチ１２と、加入者側アナログインタフェース１３Ｔと、回線側アナログインタフェース１３Ｎと、着信音作成および送出部１４と、Ｈ．３２３制御部１５と、音声圧縮および伸張処理部１６と、パケット分割および組立部１７と、音声パケット認識部１８と、第１の加入者側ディジタルインタフェース１９Ｔ−１と、第２の加入者側ディジタルインタフェース１９Ｔ−２と、回線側ディジタルインタフェース１９Ｎとを有して構成される。
【０００８】
回線側アナログインタフェース１３Ｎには、アナログ回線３２に接続されたスプリッタ２１が、回線側ディジタルインタフェース１９Ｎには、スプリッタ２１に接続されたＡＤＳＬモデム２２が接続される。スプリッタ２１とＡＤＳＬモデム２２は、ＶｏＩＰアダプタに内蔵してもよい。
【０００９】
加入者側アナログインタフェース１３Ｔには、アナログ電話機またはアナログ電話ファクシミリなどのアナログ端末装置７が接続され、第１の加入者側ディジタルインタフェース１９Ｔ−１には、ＰＣなどのディジタル端末装置５１が、第２の加入者側ディジタルインタフェース１９Ｔ−２には、ＶｏＩＰ電話機５２が接続される。
【００１０】
ＣＰＵ１１は、装置全体の制御と、音声通話の優先制御すなわち音声パケットを優先してアナログ回線３２側へ送出する制御を行う手段である。
【００１１】
通話切替スイッチ１２は、アナログ端末装置７Ａ−７Ｂ間の通話を、アナログ通話路とＩＰ通話路のいずれかに切り替えるスイッチである。
【００１２】
加入者側アナログインタフェース１３Ｔは、加入者側アナログ回線制御手段である。
【００１３】
回線側アナログインタフェース１３Ｎは、回線側アナログ回線制御手段である。
【００１４】
着信音作成および送出部１４は、各種鳴動音を作成し端末装置側へ送出する手段である。
【００１５】
Ｈ．３２３制御部１５は、Ｈ．３２３の呼制御を行う手段であり、音声プロトコル制御部として働く。
【００１６】
音声圧縮および伸張処理部１６は、アナログ音声を圧縮音声データに圧縮し、圧縮音声データをアナログ音声に伸張する手段である。
【００１７】
パケット分割および組立部１７は、データパケットＤＰを分割して分割データパケットＤＤＰとし、受信した分割データパケットＤＤＰをデータパケットＤＰに組み立てる、フラグメンテーション手段である。
【００１８】
音声パケット認識部１８は、回線側ディジタルインタフェース１９Ｎ上のＩＰパケットに音声パケットＶＰが存在するか否かを判断する手段である。
【００１９】
第１の加入者側ディジタルインタフェース１９Ｔ−１は、加入者側の第１のディジタルインタフェースである。
【００２０】
第２の加入者側ディジタルインタフェース１９Ｔ−２は、加入者側の第２のディジタルインタフェースである。
【００２１】
回線側ディジタルインタフェース１９Ｎは、加入者側のディジタルインタフェースである。
【００２２】
回線側ディジタルインタフェース１９Ｎ上のＩＰパケットに音声パケットＶＰが存在するか否かの判断は、Ｈ．３２３呼制御が確立した後、ＩＰ通話が確立した時点で、ＩＰパケットのヘッダを監視することによって、音声パケットＶＰが存在するか否かを判断する。音声パケットＶＰが存在するときには、データパケットＤＰのデータを所定の大きさにフラグメント（分割制御）して、それぞれ分割データパケットＤＤＰ１、ＤＤＰ２として、回線側ディジタルインタフェース１９ＮからＡＤＳＬモデム２２へ送出する。
【００２３】
このとき、ＣＰＵ１１は、音声パケットＶＰを分割データパケットＤＤＰに優先して、ＡＤＳＬモデム２２へ送出する。
【００２４】
このような構成を有するＶｏＩＰアダプタを介してＩＰ通話およびＩＰ通信を行う場合のＶｏＩＰアダプタを介した動作例を、図３を用いて説明する。
【００２５】
発信者がＶｏＩＰアダプタ１Ａに接続されたアナログ電話機７Ａをオフフックした後ダイヤルすると（ステップＳ１）、発信側ＶｏＩＰアダプタ１Ａの加入者アナログインタフェース１３Ｔがオフフックを検出し回線側アナログインタフェース１３Ｎからアナログ網３２に対して発信動作を行う（ステップＳ２）。
【００２６】
このとき発信側ＶｏＩＰアダプタ１Ａは、呼出音を着信音作成・送出部１４からアナログ電話機１Ａへ送り相手側呼出中を通知する（ステップＳ５）。
【００２７】
網３２は、着側ＶｏＩＰアダプタ１Ｂに対してナンバーディスプレイ着信を行い（ステップＳ３）、ＶｏＩＰアダプタ１Ｂは、着側アナログ電話機７Ｂへナンバーディスプレイ着信を通常の着信音ＩＲを用いて通知する（ステップＳ４）とともに、発側ＶｏＩＰアダプタ１Ａへ応答を送信する（ステップＳ６）。
【００２８】
着側アナログ電話機１Ｂをオフフックすると（ステップＳ７）、発側アナログ電話機７Ａと着側アナログ電話機７Ｂとの間でアナログ通話が行われる（ステップＳ８）。
【００２９】
アナログ電話機７Ａとアナログ電話機７Ｂ間でアナログ通話が行なわれている状態で、発側ＰＣ５１Ａが着側ＰＣ５１ＢとＩＰ通信を行っている（ステップＳ９）場合、発側アナログ端末装置７Ａが着側アナログ端末装置７Ｂとの通話を、アナログ通話からＩＰ通話に移行することを望むと、その旨を着側アナログ端末装置７Ｂに伝えた後、ＰＢ信号によって切替信号を発側ＶｏＩＰアダプタ１Ａへ送信する（ステップＳ１０）。
【００３０】
切替信号を受けた発側ＶｏＩＰアダプタ１Ａは、着側ＶｏＩＰアダプタ１ＢとＩＰアドレスを交換し（ステップＳ１１）、Ｈ．３２３によるインターネット呼接続を行ない（ステップＳ１２）、接続が確立するとアナログ接続を切断して（ステップＳ１３）、発側アナログ端末装置７Ａ−（アナログ通話）→発側ＶｏＩＰアダプタ１Ａ―（ＩＰ通話）→着側ＶｏＩＰアダプタ１Ｂ−（アナログ通話）→着側アナログ端末装置７Ｂの通話を行う（ステップＳ１４）。
【００３１】
ＩＰパケットを監視している発側ＶｏＩＰアダプタ１Ａは、音声パケットＶＰの存在を認識すると、ＰＣ５１ＡからのデータパケットＤＰを分割して分割データパケットＤＤＰとして回線上に送出して着側ＰＣ５１Ｂとの間でＩＰ通信を行う。
【００３２】
このようにして、本発明によれば、音声パケットとデータパケットが混在するＩＰネットワーク上において、音声パケットの伝送間隔を一定に維持することができる。
【００３３】
【発明の効果】
本発明によれば、音声パケットＶＰが送出されている場合は、長いデータ長のデータパケットＤＰを分割して分割データパケットＤＤＰとして送出するとともに、音声パケットＶＰを優先して送出するので、音声パケットＶＰの送出間隔が異なることがなくなり、音切れなどの不都合をなくすことができる。
【図面の簡単な説明】
【図１】本発明にかかるＶｏＩＰアダプタにおけるパケット送出処理の概要を説明する図。
【図２】本発明にかかるＶｏＩＰアダプタの機能構成を説明するブロック図。
【図３】本発明にかかるＩＶｏＩＰアダプタを用いた通信処理を説明するシーケンス図。
【図４】ＶｏＩＰアダプタを用いたＩＰ通信ネットワークの構成の概要を説明するブロック図。
【図５】従来のＶｏＩＰアダプタにおけるパケット送出処理の概要を説明する図。
【符号の説明】
１　ＶｏＩＰアダプタ
１０　ＶｏＩＰ機能
１１　ＣＰＵ
１２　通話切替スイッチ
１３Ｔ　加入者側アナログインタフェース
１３Ｎ　回線側アナログインタフェース
１４　着信音作成および送出部
１５　Ｈ．３２３制御部
１６　音声圧縮および伸張処理部
１７　パケット分割および組立部
１８　音声パケット認識部
１９Ｔ　加入者側ディジタルインタフェース
１９Ｎ　回線側ディジタルインタフェース
２１　スプリッタ
２２　ＡＤＳＬモデム
３１　ＩＰ網
３２　アナログ網
５１　ＰＣＩＰ網
５２　ＩＰ電話機
７　アナログ電話機
【図１】
2004072500.tif 000003
【図２】
2004072500.tif 000004
【図３】
2004072500.tif 000005
【図４】
2004072500.tif 000006
【図５】
2004072500.tif 000007